【手続補正書】
【提出日】平成19年8月20日(2007.8.20)
【手続補正１】
【補正対象書類名】特許請求の範囲
【補正対象項目名】全文
【補正方法】変更
【補正の内容】
【特許請求の範囲】
【請求項１】
コピー機能、ファクシミリ機能、スキャナ機能、及びプリンタ機能のうち少なくとも２つ以上の機能を実現する統合アプリケーションを備え、
前記統合アプリケーションは、前記２つ以上の機能に各々対応するジョブ処理依頼を受け付け、前記ジョブ処理依頼を当該入力仕様及び出力仕様に対応付けて一元管理し、前記ジョブ処理依頼に対応するジョブの実行を、前記入力仕様及び出力仕様のうちいずれか一つ以上に従って指示すること、
を特徴とする画像処理装置。
【請求項２】
前記統合アプリケーションは、ユーザから要求の受け付けた後に前記ジョブ処理依頼を行う及びユーザに対する情報提供を行う操作系サブシステムと、前記ジョブの実行で使用されるハードウェアリソースの管理を行う管理系サブシステムと、実行指示した前記ジョブの進捗管理する実行系サブシステムと、を備えることを特徴とする、請求項１に記載の画像処理装置。
【請求項３】
前記入力仕様は、ユーザが前記画像処理装置に対して指示した入力原稿の種類及び入力手法を定めた仕様であり、
前記出力仕様は、入力した前記入力原稿を元に出力される出力媒体及び出力手法を定めた仕様であること、
を特徴とする請求項１又は２に記載の画像処理装置。
【手続補正２】
【補正対象書類名】明細書
【補正対象項目名】発明の名称
【補正方法】変更
【補正の内容】
【発明の名称】画像処理装置
【手続補正３】
【補正対象書類名】明細書
【補正対象項目名】０００１
【補正方法】変更
【補正の内容】
【０００１】
本発明は、ユーザ操作によるジョブ処理依頼を受け付けた場合に、該ジョブ処理依頼に応答するジョブの実行を指示するとともに、各ジョブ処理依頼をリクエストとして管理する画像処理装置に関するものである。
【手続補正４】
【補正対象書類名】明細書
【補正対象項目名】００１０
【補正方法】変更
【補正の内容】
【００１０】
本発明は、上述した従来技術による問題点を解消するためになされたものであり、異種ジョブのリクエストを一元的かつ効率良く受け付けることができ、管理することができる画像処理装置を提供することを目的とする。 
【手続補正５】
【補正対象書類名】明細書
【補正対象項目名】００１１
【補正方法】変更
【補正の内容】
【００１１】
上述した課題を解決し、目的を達成するために、請求項１にかかる発明は、コピー機能、ファクシミリ機能、スキャナ機能、及びプリンタ機能のうち少なくとも２つ以上の機能を実現する統合アプリケーションを備え、前記統合アプリケーションは、前記２つ以上の機能に各々対応するジョブ処理依頼を受け付け、前記ジョブ処理依頼を当該入力仕様及び出力仕様に対応付けて一元管理し、前記ジョブ処理依頼に対応するジョブの実行を、前記入力仕様及び出力仕様のうちいずれか一つ以上に従って指示すること、を特徴とする。
【手続補正６】
【補正対象書類名】明細書
【補正対象項目名】００１２
【補正方法】変更
【補正の内容】
【００１２】
この請求項１の発明によれば、異種ジョブのリクエストを一元的かつ効率良く受け付けて管理することができる。 
【手続補正７】
【補正対象書類名】明細書
【補正対象項目名】００１３
【補正方法】変更
【補正の内容】
【００１３】
また、請求項２にかかる発明は、請求項１の発明において、前記統合アプリケーションは、ユーザから要求の受け付けた後に前記ジョブ処理依頼を行う及びユーザに対する情報提供を行う操作系サブシステムと、前記ジョブの実行で使用されるハードウェアリソースの管理を行う管理系サブシステムと、実行指示した前記ジョブの進捗管理する実行系サブシステムと、を備えることを特徴とする。
【手続補正８】
【補正対象書類名】明細書
【補正対象項目名】００１４
【補正方法】変更
【補正の内容】
【００１４】
この請求項２の発明によれば、操作系サブシステムと、管理系サブシステムと、実行系サブシステムとを備えることで、画像処理装置に必要とされるサービス提供を行うことができる。
【手続補正９】
【補正対象書類名】明細書
【補正対象項目名】００１５
【補正方法】変更
【補正の内容】
【００１５】
また、請求項３にかかる発明は、請求項１または２の発明において、前記入力仕様は、ユーザが前記画像処理装置に対して指示した入力原稿の種類及び入力手法を定めた仕様であり、前記出力仕様は、入力した前記入力原稿を元に出力される出力媒体及び出力手法を定めた仕様であること、を特徴とする。
【手続補正１０】
【補正対象書類名】明細書
【補正対象項目名】００１６
【補正方法】変更
【補正の内容】
【００１６】
この請求項３の発明によれば、ジョブ処理依頼を一元的に効率良く管理することができる。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】変更
【補正の内容】
【００５１】
請求項１にかかる画像処理装置は、コピー機能、ファクシミリ機能、スキャナ機能、及びプリンタ機能のうち少なくとも２つ以上の機能を実現する統合アプリケーションを備え、前記統合アプリケーションは、前記２つ以上の機能に各々対応するジョブ処理依頼を受け付け、前記ジョブ処理依頼を当該入力仕様及び出力仕様に対応付けて一元管理し、前記ジョブ処理依頼に対応するジョブの実行を、前記入力仕様及び出力仕様のうちいずれか一つ以上に従って指示することとしたので、異種ジョブのリクエストを一元的かつ効率良く受け付けおよび管理することができるという効果を奏する。
【手続補正４６】
【補正対象書類名】明細書
【補正対象項目名】００５２
【補正方法】変更
【補正の内容】
【００５２】
また、請求項２にかかる画像処理装置は、前記統合アプリケーションは、ユーザから要求の受け付けた後に前記ジョブ処理依頼を行う及びユーザに対する情報提供を行う操作系サブシステムと、前記ジョブの実行で使用されるハードウェアリソースの管理を行う管理系サブシステムと、実行指示した前記ジョブの進捗管理する実行系サブシステムと、を備えることとしたので、リクエストとリクエストの詳細情報とを対応づけて管理することができるという効果を奏する。
【手続補正４７】
【補正対象書類名】明細書
【補正対象項目名】００５３
【補正方法】変更
【補正の内容】
【００５３】
また、請求項３にかかる画像処理装置は、ジョブ処理依頼を一元的に効率良く管理することができるという効果を奏する。 
【手続補正４８】
【補正対象書類名】明細書
【補正対象項目名】００５４
【補正方法】削除
【補正の内容】
【手続補正４９】
【補正対象書類名】明細書
【補正対象項目名】００５５
【補正方法】削除
【補正の内容】
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】削除
【補正の内容】
【手続補正５２】
【補正対象書類名】明細書
【補正対象項目名】００５８
【補正方法】削除
【補正の内容】
【手続補正５３】
【補正対象書類名】明細書
【補正対象項目名】００５９
【補正方法】削除
【補正の内容】
【手続補正５４】
【補正対象書類名】明細書
【補正対象項目名】００６０
【補正方法】削除
【補正の内容】
【手続補正５５】
【補正対象書類名】明細書
【補正対象項目名】００６１
【補正方法】削除
【補正の内容】
【手続補正５６】
【補正対象書類名】明細書
【補正対象項目名】００６２
【補正方法】削除
【補正の内容】
【手続補正５７】
【補正対象書類名】明細書
【補正対象項目名】００６３
【補正方法】削除
【補正の内容】
【手続補正５８】
【補正対象書類名】明細書
【補正対象項目名】００６４
【補正方法】削除
【補正の内容】
【手続補正５９】
【補正対象書類名】明細書
【補正対象項目名】００６５
【補正方法】削除
【補正の内容】
【手続補正６０】
【補正対象書類名】明細書
【補正対象項目名】００６６
【補正方法】削除
【補正の内容】
【手続補正６１】
【補正対象書類名】明細書
【補正対象項目名】００６７
【補正方法】削除
【補正の内容】
【手続補正６２】
【補正対象書類名】明細書
【補正対象項目名】００６８
【補正方法】削除
【補正の内容】
【手続補正６３】
【補正対象書類名】明細書
【補正対象項目名】００６９
【補正方法】削除
【補正の内容】
【手続補正６４】
【補正対象書類名】明細書
【補正対象項目名】００７０
【補正方法】削除
【補正の内容】
【手続補正６５】
【補正対象書類名】明細書
【補正対象項目名】００７１
【補正方法】変更
【補正の内容】
【００７１】
以下に添付図面を参照して、この発明にかかる画像処理装置の最良な実施の形態を詳細に説明する。なお、本実施の形態では、この発明を画像形成装置に適用した場合について説明するが、本発明はこれに限らず、リクエスト管理をおこなう各種装置に適用することができる。
【手続補正６６】
【補正対象書類名】明細書
【補正対象項目名】０２００
【補正方法】変更
【補正の内容】
【０２００】
以上のように、本発明にかかる画像処理装置は、リクエスト管理に有用であり、特に、ジョブ処理依頼のリクエスト管理に適している。